(57)【要約】【課題】保温性が高く着心地もよい衣服を提供する。【解決手段】衣服１の裾口１１、袖口１２、あるいは、これら両方が、平面状の外側布の両側辺２１が縫い合わされて成る筒状の外側筒２と、平面状の内側布の両側辺３１が縫い合わされて成り、上辺３２が外側筒２の内側に縫いつけられた筒状の内側筒３とを備える。ここにおいて、内側布の両側辺３１の所定部分３１ａが外側布の両側辺２１の縫い合わせ部分に縫い合わされている。【選択図】図１
0003212752.tif 000002
【実用新案登録請求の範囲】
【請求項１】
裾口、袖口、あるいは、これら両方が、
平面状の外側布の両側辺が縫い合わされて成る筒状の外側筒と、
平面状の内側布の両側辺が縫い合わされて成り、上辺が前記外側筒の内側に縫いつけられた筒状の内側筒と、
を備え、
前記内側布の両側辺の所定部分が前記外側布の両側辺の縫い合わせ部分に縫い合わされている
ことを特徴とする、衣服。
【考案の詳細な説明】
【技術分野】
【０００１】
本考案は、衣服に関し、特に、就寝時に着用する寝衣、室内で着用する部屋着、等に好適な衣服に関する。
【背景技術】
【０００２】
寝衣や部屋着等の衣服において、保温性を高めるべく、裾口や袖口の近傍部分に内側布を設け、開口をゴム等で絞ることが、例えば特許文献１で提案されている。
【先行技術文献】
【特許文献】
【０００３】
【特許文献１】実開昭５２−５７８０１号公報
【考案の概要】
【考案が解決しようとする課題】
【０００４】
二重構造の裾口（あるいは袖口）を縫製する方法としては、内側布を予め筒状に縫製しておき、該筒状の内側布（内側筒）の上端を、同じく筒状に縫製されている外側布（すなわち、裾口（あるいは袖口）を成す外側筒）の内側に縫いつける、というものが一般的である。
【０００５】
ところが、このようにして得られる裾口（あるいは袖口）では、内側筒が上端縁だけで外側筒に縫いつけられるため、着用時や着脱時に、内側筒が外側筒の中で上側に折り返りやすい。内側筒が折り返ると、着心地が悪くなり、保温機能も低下する。
【０００６】
本考案は、保温性が高く着心地もよい衣服を提供することを目的とする。
【課題を解決するための手段】
【０００７】
上記課題を解決するために成された本考案は、
衣服であって、その裾口、袖口、あるいは、これら両方が、
平面状の外側布の両側辺が縫い合わされて成る筒状の外側筒と、
平面状の内側布の両側辺が縫い合わされて成り、上辺が前記外側筒の内側に縫いつけられた筒状の内側筒と、
を備え、
前記内側布の両側辺の所定部分が前記外側布の両側辺の縫い合わせ部分に縫い合わされていることを特徴とする。
【０００８】
この構成に係る衣服は、裾口、袖口、あるいはこれら両方が、外側筒と内側筒の二重構造とされることにより、保温性が高まっている。また、内側布の両側辺の一部分が、外側布の両側辺の縫い合わせ部分に縫い合わされているので、着用時や着脱時に、内側筒が外側筒の中で上側に折り返りにくい。したがって、着心地が悪くなりにくく、保温機能も低下しにくい。
【０００９】
上記の袖口（あるいは裾口）は、次の工程を含む方法で製造することができる。
第１工程：平面状の外側布（身頃布）に、平面状の内側布の上辺を縫いつける。第２工程：外側布の両側辺を縫い合わせて筒状にする。このとき、内側布の両側辺の所定部分（好ましくは、上端付近の所定部分）も一緒に縫い合わせる。第３工程：内側布の両側辺の下側部分(上記所定部分の下側の部分）同士を縫い合わせて筒状にする。
【００１０】
先述の通り、従来は、内側筒と外側筒を縫着させる縫い目は、筒と筒を縫着する、という縫製態様で得られるところ、このような縫製態様においては、定められた位置に、筒の周方向に沿って真っ直ぐに伸びる縫い目を形成するために熟練の技術が必要となる。寝衣や部屋着等のように裏地が設けられない衣服においては、内側筒と外側筒を縫着させる縫い目は外から見えるものとなるため、左右の裾口（あるいは袖口）で縫い目の位置がバラバラであったり、縫い目が斜行あるいは蛇行していたりすると、見栄えが悪くなり、商品価値が著しく低下する。
【００１１】
これに対し、今回の方法では、内側筒と外側筒を縫着させる縫い目は、平面状の（すなわち、筒状に形成される前の）内側布を、同じく平面状の外側布に縫いつける、という縫製態様で得られるところ（上記の第１工程）、このような縫製態様においては、定められた位置に真っ直ぐに伸びる縫い目を容易に形成することができる。すなわち、内側筒と外側筒を縫着させる縫い目が、その位置が左右で等しく、かつ筒の周方向に沿って真っ直ぐに伸びるものとなり、見栄えのよい衣服となる。
【考案の効果】
【００１２】
本考案に係る衣服は、裾口、袖口、あるいはこれら両方が、外側筒と内側筒の二重構造とされることにより、保温性が高まっている。また、内側筒を成す内側布の両側辺の一部分が、外側布の両側辺の縫い合わせ部分に縫い合わされているので、着用時や着脱時に、内側筒が外側筒の中で上側に折り返りにくい。すなわち、該衣服は、保温性が高く着心地もよい。
【図面の簡単な説明】
【００１３】
【図１】衣服の裾口（あるいは袖口）を示す図。
【図２】裾口（あるいは袖口）の製造方法を説明するための図。
【考案を実施するための形態】
【００１４】
以下、添付の図面を参照しながら、本考案の実施形態について説明する。以下の実施形態は、本考案を具体化した一例であって、本考案の技術的範囲を限定するものではない。
【００１５】
実施形態に係る衣服１について、図１を参照しながら説明する。図１は、衣服１の裾口１１（あるいは袖口１２）を示す図である。
【００１６】
衣服１は、裾口１１および袖口１２の両方あるいは一方が、外側筒２と内側筒３との二重構造となっている。
【００１７】
外側筒２は、平面上の外側布２０（図２（ａ）参照）の両側辺２１が縫い合わされて成る筒状の要素である（縫い目Ｂ）。
【００１８】
内側筒３は、平面状の内側布３０（図２（ａ）参照）の両側辺３１（具体的には、該両側辺３１の下端部分（下側側辺部分）３１ｂ）同士が縫い合わされて成る筒状の要素であり（縫い目Ｃ）、その上辺３２が外側筒２の内側の所定位置に縫いつけられている（縫い目Ａ）。ここにおいて、内側布３０の両側辺３１の所定部分（具体的には、該側辺３１の上端部分（上端側辺部分）３１ａ）は、外側布２０の側辺２１の縫い合わせ部分（縫い目Ｂ）に縫い合わされている。
また、内側筒３の下端部分には、絞り部４が形成されている。
【００１９】
このような裾口１１（あるいは袖口１２）の製造方法について、図２を参照しながら説明する。図２は、該製造方法を説明するための図である。
【００２０】
準備工程：まず、外側布２０と内側布３０を準備する（図２（ａ））。
外側布２０は、裾（あるいは袖）の前側部分を成す前身頃２０１と後ろ側部分を成す後身頃２０２が、股（あるいは脇）部分で縫い合わされて平面状とされたものである。もっとも、外側布２０は、前身頃２０１と後身頃２０２が、股（あるいは脇）となる部分とは反対側の部分で縫い合わされて平面状とされたものであってもよいし、前身頃に相当する布部分と後身頃に相当する布部分が連なった一枚の布であってもよい。
内側布３０は、略矩形の布であり、両側辺３１は、直線状の上端側辺部分３１ａと、これよりも内方に設けられた直線状の下側側辺部分３１ｂと、これらの間に設けられた、内方に緩やかに湾曲したカーブ状部分３１ｃと、から成る。一対の上端側辺部分３１ａの離間寸法（すなわち、内側布３０の上端部分の幅）Ｄａは、外側布２０の幅と略同一とされており、一対の下側側辺部分３１ｂの離間寸法（すなわち、内側布３０の下側部分の幅）Ｄｂは、幅Ｄａよりも僅かに（数ｍｍ〜１ｃｍ程度だけ）小さい寸法とされている。また、上端側辺部分３１ａの長さＬａは３ｃｍ程度であり、カーブ状部分３１ｃの長さＬｃは５ｃｍ程度であることが好ましい。下側側辺部分３１ｂの長さＬｂは、衣服１の股下寸法（袖寸法）等に応じて適宜に規定することができる。なお、内側布３０の周縁（特に、上下辺およびカーブ状部分３１ｃ）は、ほつれが生じないように端始末されていることが好ましい。
【００２１】
第１工程：平面状である外側布２０の裏面（衣服の内側面となる側）上に、同じく平面状の内側布３０を重ねて置き、内側布３０の上辺３２を外側布２０の所定位置に縫いつける（縫い目Ａ）（図２（ｂ））。
【００２２】
第２工程：外側布２０およびこれに縫いつけられた内側布３０を股（あるいは脇）部分で折り曲げて、外側布２０の両側辺２１を裏面側から縫い合わせて筒状に形成する（縫い目Ｂ）。このとき、内側布３０の両側辺３１の上端側辺部分３１ａも一緒に縫い合わせる（図２（ｃ））。
【００２３】
第３工程：筒状とされた外側布２０（すなわち、外側筒２）を表返して、その裾部分を折り上げる。そして、内側布３０の両側辺３１の下側側辺部分３１ｂ同士を縫い合わせて筒状に形成する（縫い目Ｃ）（図２（ｄ））。
【００２４】
第４工程：筒状とされた内側布３０（すなわち、内側筒３）の下端を数ｃｍ程度折り上げて端を縫いつけることにより内側筒３の下端に筒状部分４１を形成し（縫い目Ｄ）、その内部にゴム４２を通して絞り部４（図１）を形成する（図２（ｅ））。
【００２５】
上記の実施形態に係る衣服１においては、裾口１１、袖口１２、あるいはこれら両方が、外側筒２と内側筒３の二重構造とされることにより、保温性が高まっている。また、内側布３０の両側辺３１の上端側辺部分３１ａが、外側布２０の側辺２１の縫い合わせ部分に縫い合わされているので、着用時や着脱時に、内側筒３が外側筒２の中で上側に折り返りにくい。したがって、着心地が悪くなりにくく、保温機能も低下しにくい。
【００２６】
上記の実施形態に係る衣服１の製造方法では、内側筒３と外側筒２を縫着させる縫い目Ａは、平面状の（すなわち、筒状に形成される前の）内側布３０を、同じく平面状の外側布２０に縫いつける、という縫製態様で得られるところ（上記の第１工程（図２（ｂ）））、このような縫製態様においては、定められた位置に真っ直ぐに伸びる縫い目を容易に形成することができる。すなわち、内側筒３と外側筒２を縫着させる縫い目Ａが、その位置が左右で等しく、かつ筒の周方向に沿って真っ直ぐに伸びるものとなり、衣服１の見栄えが良好なものとなる。
【００２７】
なお、上記の実施形態において、内側布３０を外側布２０に縫いつける位置（縫い目Ａの位置）は、着用者の膝（あるいは肘）よりも下側であることが好ましい。また、内側筒３は、その下端部分が、外側筒２の下端（すなわち、裾の端（あるいは袖の端）よりも上側であることが好ましい。すなわち、内側筒３は外から見えないことが好ましい。
【００２８】
また、上記の実施形態においては、内側布３０の両側辺３１の上端に設けられた部分（上端側辺部分）３１ａが、外側布２０の側辺２１の縫い合わせ部分に縫い合わされていたが、外側布２０の側辺２１の縫い合わせ部分に縫い合わされる部分は、両側辺３１の上端以外の部分（例えば、両側辺３１の中央部分）であってもよい。もっとも、該縫い合わされる部分が上側にあるほど、下側側辺部分３１ｂの長さ（ひいては、内側布３０を筒状に形成するための縫い目Ｃの長さ）を長くすることができる。
【００２９】
また、上記の実施形態において、絞り部４は、内側筒３の下端部分を足首（あるいは手首）に密着（あるいは近接）させることができるようなものであればどのようなものであってもよく、例えば、内側筒３の下端に、例えばリブ編み或いはゴム編みの部分を設けることによって絞り部４を形成してもよい。もっとも、絞り部４は必須の要素ではなく、これが形成されなくともよい。
【符号の説明】
【００３０】
１…衣服
１１…裾口
１２…袖口
２…外側筒
２０…外側布
２１…側辺
３…内側筒
３０…内側布
３１…両側辺
３１ａ…上端側辺部分
３１ｂ…下側側辺部分
３１ｃ…カーブ状部分
３２…上辺
４…絞り部
【図１】
0003212752.tif 000003
【図２】
0003212752.tif 000004